(57)【要約】【課題】本発明は地中埋設送水管並びに散水ノズルを使用した散水装置の敷設工事の簡素化と合理化を図る中継散水ブロックを提供する。【解決手段】路面下に埋設された入側単位送水管５の管端と出側単位送水管６の管端間に配置され、両単位送水管５，６を中継する中継散水ブロック９であり、上記中継散水ブロック９内には散水ノズル７と中継管８の組立体を埋設し、上記中継管８一端を上記中継散水ブロック９の一側面１２において開放して水導入口１３を形成し、同中継管８他端を上記中継散水ブロック９の他側面１２において開放して水導出口１４を形成し、上記散水ノズル７を上記中継管８の中間部に上記中継散水ブロック９内において一体に接続し、上記入側単位送水管５の管端から上記中継管８を経由して出側単位送水管６の管端へ向け送水すると同時に、同中継管８から散水ノズル７に給水し路面２に散水する構成を有する単位送水管を中継する中継散水ブロック。【選択図】        図６
2010037761.tif 000002
【特許請求の範囲】
【請求項１】
以下のＡ乃至Ｅの構成を有する単位送水管を中継する中継散水ブロック。
Ａ．路面下に埋設された入側単位送水管の管端と出側単位送水管の管端間に配置され、両単位送水管を中継する中継散水ブロックである。
Ｂ．上記中継散水ブロック内には散水ノズルと中継管の組立体が埋設されている。
Ｃ．上記中継管の一端を上記中継散水ブロックの一側面において開放して水導入口を形成し、同中継管の他端を上記中継散水ブロックの他側面において開放して水導出口を形成している。
Ｄ．上記散水ノズルを上記中継管の中間部に上記中継散水ブロック内において一体に接続する。
Ｅ．上記入側単位送水管の管端から上記中継管を経由して出側単位送水管の管端へ向け送水すると同時に、同中継管から散水ノズルに給水し路面に散水する構成を有する。
【請求項２】
上記中継管の一端を中継散水ブロックの一側面から没入するか又は同一側面から突出して上記水導入口を形成し、同様に上記中継管の他端を中継散水ブロックの他側面から没入するか又は同他側面から突出して上記水導出口を形成したことを特徴とする請求項１記載の単位送水管を中継する中継散水ブロック。
【請求項３】
上記中継散水ブロックの上面に反射表示部又は蓄光表示部を設けたことを特徴とする請求項１記載の単位送水管を中継する中継散水ブロック。
【発明の詳細な説明】
【技術分野】
【０００１】
本発明は多数本の単位送水管を連通しつつ路面下に埋設して送水管路を形成し、該送水管路で送水しつつ各単位送水管に間隔的に配設した散水ノズルに給水し路面に散水するようにした散水装置、殊に単位送水管の管壁に散水ノズルを取り付けずに入側単位送水管の管端と出側単位送水管の管端間を中継する中継散水ブロックによって上記散水を行うようにしたものである。
【背景技術】
【０００２】
特許文献１，２は単位送水管の全長をコンクリートブロック内に埋設しつつ、該送水管の管壁に散水ノズルを取り付けて上記コンクリートブロック内に埋設した単位送水管埋設ブロックを工場にて製造し、該単位送水管埋設ブロックを多数本現場に搬入し、現場において掘削した送水管敷設溝内に該単位送水管埋設ブロックの端面を互いに突き合わせ接続しながら敷設して送水管路を形成し、該送水管路内を送水しつつ上記各単位送水管に取り付けた散水ノズルから路面へ散水するようにしている。
【０００３】
【特許文献１】特開平６−８８３０６号公報
【特許文献２】特開２０００−３４５５２７号公報
【発明の開示】
【発明が解決しようとする課題】
【０００４】
然しながら、上記先行例は単位送水管の全長をコンクリートブロック内に埋設した複合構造を有するため非常に高重量となり、クレーンを用いて敷設溝内へ搬入し芯出し敷設と均し敷設を行わねばならない問題点を有している。
【０００５】
又単位送水管と同じ長さを有するコンクリートブロックの底面を敷設溝内に均し敷設しつつ芯出し敷設する作業に熟練した技術を要し、作業手間とコスト増を招く問題点を有している。
【０００６】
又単位送水管の全長をブロック内に埋設した単位送水管埋設ブロックは剛体であるので曲げ配管が難しく、送水管路が曲路である場合には適切に対応できない問題を有している。
【課題を解決するための手段】
【０００７】
本発明は上記単位送水管の全長をコンクリートブロック内に埋設した単位送水管埋設ブロックを形成し、該単位送水管に取り付けた散水ノズルをコンクリートブロック内に埋設する方法を排し、路面下に埋設された入側単位送水管の管端と出側単位送水管の管端間に、散水ノズルと中継管の組立体を埋設した中継散水ブロックを配置して各管端間を連通し、散水を行うようにして上記先行例の問題点を抜本的に解決するものである。
【０００８】
上記中継散水ブロック内に埋設された中継管は一端を上記中継散水ブロックの一側面において開放して水導入口を形成し、同中継管の他端を上記中継散水ブロックの他側面において開放して水導出口を形成する。
【０００９】
又上記中継散水ブロック内に埋設した散水ノズルは上記中継管の中間部に同ブロック内において一体に接続する。
【００１０】
よって上記入側単位送水管の管端から上記ブロック埋設の中継管を経由して出側単位送水管の管端へ向け送水すると同時に、同中継管から上記ブロック埋設の散水ノズルに給水し路面に散水する構成にしたものである。
【００１１】
上記中継管はその一端を中継散水ブロックの一側面から没入するか又は同一側面から突出して上記水導入口を形成し、同様に上記中継管の他端を中継散水ブロックの他側面から没入するか又は同他側面から突出して上記水導出口を形成する。
【００１２】
上記路面において露出する中継散水ブロックの上面には、反射表示部又は蓄光表示部を設けることができる。
【発明の効果】
【００１３】
本発明によれば、単位送水管の管端間を中継する中継散水ブロックは非常に小形軽量であり、現場搬入と敷設溝内への設置が人手による軽作業で実行でき、クレーンを用いて敷設溝内へ搬入し芯出し敷設と均し敷設を行わねばならない問題点を有効に解決できる。
【００１４】
又中継散水ブロックは限定された大きさのものであるから、その底面を敷設溝内に均し敷設しつつ芯出し敷設する作業を著しく軽減し、その作業に熟練した技術を要求されず、作業手間とコスト削減に寄与することができる。
【００１５】
上記送水管路を形成する各単位送水管は裸のままで中継散水ブロックと繋ぐ作業を行え、各単位送水管の曲げ配管が容易であり、送水管路が曲路である場合にも適切に対応できる。
【発明を実施するための最良の形態】
【００１６】
以下本発明を実施するための最良の形態を図１乃至図１６に基づき説明する。
【００１７】
本発明は図１１乃至図１５に示すように、複数本の単位送水管５，６を路面２に掘削された敷設溝３内に敷設し埋設して送水管路４を形成する場合に、上記入側単位送水管５の管端と出側単位送水管６の管端間に、散水ノズル７と中継管８の組立体１を埋設した中継散水ブロック９を配置して各管端間を連通し、散水を行うようにしたものである。
【００１８】
図１乃至図８等に示す上記散水ノズル７と中継管８の組立体１を埋設した中継散水ブロック９の本体はセメント混練材、即ちコンクリート製やモルタル製やレジンコンクリート製にし、その骨材として砂、砂利、補強繊維、鉱滓、各種スラッジ、各種廃材を選択的に用いることができる。
【００１９】
又は中継散水ブロック９の本体を合成樹脂製にし、その骨材として上記のものを選択的に用いることができる。
【００２０】
上記散水ノズル７と中継管８の組立体１を成形型内に設置し、同成形型内に上記セメント混練材、又は合成樹脂等の成形材を充填することにより上記組立体１を埋設した中継散水ブロック９を成形する。
【００２１】
一例として、上記中継散水ブロック９の本体は互いに並行な方形の上面１０及び同底面１１と、四側面１２を有する直方体、又は上記四側面１２が上面１０から底面１１へ向けた傾斜面をなす截頭角錐体にする。
【００２２】
上記中継散水ブロック９の本体を上記直方体又は截頭角錐体にする他、三角形、五角形、六角形等の多角柱体又は同截頭多角錐体、又は截頭円錐体にする場合を含む。
上記中継散水ブロック９内に埋設された中継管８は一端を上記中継散水ブロック９の一側面１２において開放して水導入口１３を形成し、同中継管８の他端を上記中継散水ブロック９の他側面１２において開放して水導出口１４を形成する。
【００２３】
又上記中継散水ブロック９内に埋設した散水ノズル７は上記中継管８の中間部に同ブロック９内において一体に接続する。
【００２４】
上記中継管８は中間部から直角に分岐して上記散水ノズル７に接続するノズル接続管１９を有し、該ノズル接続管１９を散水ノズル７下端の給水口２０に挿入して中継管８の水導入口１３より水導出口１４に流れる水の一部を散水ノズル７に供給する。
【００２５】
図９に示すように、上記ノズル接続管１９と中継管８の分岐部内周面、即ちノズル接続管１９の分岐部内周面と、入側中継管部８ａの分岐部内周面と、出側中継管部８ｂの分岐部内周面には、ノズル接続管１９の口径を縮径し且つ入側の中継管部８ａと出側の中継管部８ｂを縮径する絞り弁２１を設ける。
【００２６】
例えば上記ノズル接続管１９の分岐部の角部内周面と入側中継管部８ａと出側中継管部８ｂの分岐部内周面に例えば４５度の角度で斜めに突出する環状突部２２を一体成形し、上記絞り弁２１を構成する。
【００２７】
上記ノズル接続管１９の分岐部の角部内面に突出した環状突部２２の内端に環状ブレード２３を設け、絞り効果を向上することができる。
【００２８】
上記散水ノズル７は既知のものを採用できる。該散水ノズル７は上端の散水部に固定バルブ１６と該固定バルブ１６の中心に螺合した回動バルブ１７を有し、該回動バルブ１７を回動することにより、固定バルブ１６に設けた散水口１８からの水量（水圧）を調整できるようになっている。
【００２９】
上記散水ノズル７の散水部の上面、即ち固定バルブ１６と回動バルブ１７の上面を中継散水ブロック９の上面１０において露出するように埋設する。
【００３０】
よって上記入側単位送水管５の管端から上記ブロック埋設の中継管８を経由して出側単位送水管６の管端へ向け送水すると同時に、同中継管８から上記ブロック埋設の散水ノズル７に給水し路面２に散水する構成にしたものである。
【００３１】
上記中継管８は図４Ａ，図６に示すように、その一端と他端を中継散水ブロック９の側面１２から没入した位置で開口するように埋設して上記水導入口１３と水導出口１４を形成する。
【００３２】
中継散水ブロック９の側面１２には上記中継管８の一端面と他端面から同側面１２へ向け拡径する単位送水管５，６の導入口部９ａを設け、単位送水管５，６の管端を該導入口部９ａから挿入して中継管８と連通せしめる。
【００３３】
他例として、中継管８は図４Ｂ，図７に示すように、その一端と他端を中継散水ブロック９の側面１２から短く突出した位置で開口するように埋設して上記水導入口１３と水導出口１４を形成する。
【００３４】
上記中継管８の一方の管端の突出管部８ｃ及び他方の管端の突出管部８ｃと、入側単位送水管５の管端と出側単位送水管６の管端を夫々連通せしめる。即ち突出管部８ｃと単位送水管５，６とを接続する。
【００３５】
上記中継管８と単位送水管５，６とは管端において一方を他方に内挿するか外挿して連通状態とする。又は上記中継管８の管端面と単位送水管５，６の管端面とを突き合わせ状態にして連通状態とする。
【００３６】
上記挿入部又は突き合わせ部において接着剤又は接続具を用い接合することができる。
【００３７】
又図７に示すように、中継管８の突出管部８ｃを設けた場合には、単位送水管５，６の管端面を突出管部８ｃの管端面を近接又は接触状態に突き合わせし、該突き合わせ部外周面にカップリング等の接続具２７を用いて接続することができる。
【００３８】
上記中継散水ブロック９の側面１２には手指を掛け止めすることができる溝や突起物から成る把手２６を設け、該把手２６を用いて敷設溝３内に中継散水ブロック９を人手により設置することができる。
【００３９】
次に図１１乃至図１５に基づき送水管路４の敷設工事の一例について説明し本発明を更に明らかにする。
【００４０】
図１１に示すように、路面２に送水管路４を敷設するための敷設溝３を掘削する。
【００４１】
次に図１２Ａ，Ｂに示すように、敷設溝３内底面に中継散水ブロック９を間隔を置いて設置する。
【００４２】
次に図１３に示すように、上記各中継散水ブロック９間を単位送水管５，６で連絡し、中継管８と単位送水管５，６とを連通せしめ送水管路４を形成する。
【００４３】
次に図１４に示すように、敷設溝３内に鉄筋２４を配筋し、図１５に示すように、同溝３内に現場打ちコンクリート２５を打設充填し、上記単位送水管５，６（送水管路４）と中継散水ブロック９とを現場打ちコンクリート２５内に埋設する。
【００４４】
中継散水ブロック９に埋設した散水ノズル７の上面の散水部は上記現場打ちコンクリート２５の表面に露出状態とする。
【００４５】
よって上記入側単位送水管５の管端から上記中継管８を経由して出側単位送水管６の管端へ向け送水すると同時に、同中継管８から分岐したノズル接続管１９を介して散水ノズル７に給水し路面２に散水する。
【００４６】
実施例として上記路面２において露出する中継散水ブロック９の上面には、反射表示部又は蓄光表示部１５を設けることができる。この表示部１５は例えば道路の中央分離帯に中継散水ブロック９を配設して送水管路４を形成する場合に、中央分離線を形成する。又は上記表示部１５は中継散水ブロック９の存在を明示し歩行者の注意を喚起する表示とする。
【００４７】
上記中継管８は直管形にして中継散水ブロック９の対向する側面１２において二方向に開口せしめ水導入口１３と水導出口１４を形成する。
【００４８】
又は図５に示すように、十字形にして中継散水ブロック９の側面１２で四方向に開口せしめ水導入口１３と水導出口１４を形成する。又はＴ字形にして中継散水ブロック９の側面１２で三方向に開口せしめ水導入口１３と水導出口１４を形成する。又はＬ字形にして中継散水ブロック９の側面１２で二方向に開口せしめ水導入口１３と水導出口１４を形成する。本発明は各中継管８の態様を包含する。
【００４９】
上記送水管路４を形成する各単位送水管５，６は裸のままで中継散水ブロック９と繋ぎ送水管路４と散水部を形成する構成なので、図１６Ａに示すように、平面方向の曲路を形成する場合、又は図１６Ｂに示すように、送水管路４に上下に落差がある曲路を形成する場合の何れにおいても、裸の単位送水管５，６を傾斜配管し、該送水管路４の曲路配管に適切に対応できる。
【００５０】
上記路面２とは道路や歩道の路面の他、屋上の路面、広場の路面等の散水を必要とする全ての路面を包含する。
【００５１】
本発明に係る散水装置は降雪地における消雪装置として有効に実施でき、又消雪を必要としない散水目的に実施する場合を含む。
【図面の簡単な説明】
【００５２】
【図１】中継散水ブロックの縦断面図。
【図２】上記中継散水ブロックの他例を示す縦断面図。
【図３】図１，図２に示す中継散水ブロックの側面図。
【図４】Ａは中継管の管端を中継散水ブロックの側面から没入した埋設構造例を示し、Ｂは中継管の管端を中継散水ブロックの側面から突出した埋設構造例を示す平面図。
【図５】Ａ，Ｂ，Ｃは上記中継散水ブロックに埋設した中継管の分岐構造の各例を示す平面図（散水ノズル省略）。
【図６】図１の中継散水ブロックを用いた配管構造例を示す縦断面図。
【図７】図２の中継散水ブロックを用いた配管構造例を示す縦断面図。
【図８】中継管と散水ノズルの組立体を示す斜視図。
【図９】上記中継散水ブロックに埋設した中継管の具体構造例を示す縦断面図。
【図１０】上記中継散水ブロックの上面に表示部を設けた例を示す斜視図。
【図１１】図１１乃至図１５は路面に掘削した敷設溝内に中継散水ブロックを用いた送水管路を形成する工事を説明し、図１１は敷設溝を形成した横断面図。
【図１２】Ａは上記敷設溝内に中継散水ブロックを配置した状態を示す平面図、Ｂは同横断面図。
【図１３】上記中継散水ブロックに単位送水管を配管した状態を示す平面図。
【図１４】上記敷設溝内に鉄筋を配筋した状態を示す平面図。
【図１５】Ａは上記敷設溝内にコンクリートを打設した状態を示す平面図、Ｂは同横断面図。
【図１６】Ａは中継散水ブロックを用いて平面方向の曲路（送水管路）を形成する場合を説明する平面図、Ｂは中継散水ブロックを用いて上下に落差がある曲路（送水管路）を形成する場合を説明する縦断面図。
【符号の説明】
【００５３】
１…組立体、２…路面、３…敷設溝、４…送水管路、５…入側単位送水管、６…出側単位送水管、７…散水ノズル、８…中継管、８ａ…入側中継管部、８ｂ…出側中継管部、８ｃ…突出管部、９…中継散水ブロック、９ａ…導入口部、１０…上面、１１…底面、１２…側面、１３…水導入口、１４…水導出口、１５…反射表示部又は蓄光表示部、１６…固定バルブ、１７…回動バルブ、１８…散水口、１９…ノズル接続管、２０…給水口、２１…絞り弁、２２…環状突部、２３…環状ブレード、２４…鉄筋、２５…現場打ちコンクリート、２６…把手、２７…接続具。
【図１】
2010037761.tif 000003
【図２】
2010037761.tif 000004
【図３】
2010037761.tif 000005
【図４】
2010037761.tif 000006
【図５】
2010037761.tif 000007
【図６】
2010037761.tif 000008
【図７】
2010037761.tif 000009
【図８】
2010037761.tif 000010
【図９】
2010037761.tif 000011
【図１０】
2010037761.tif 000012
【図１１】
2010037761.tif 000013
【図１２】
2010037761.tif 000014
【図１３】
2010037761.tif 000015
【図１４】
2010037761.tif 000016
【図１５】
2010037761.tif 000017
【図１６】
2010037761.tif 000018